(57)【要約】【課題】入力電流、電圧の周波数の変動範囲が大きい場合であっても、正常に系統事故の有無を検出することが可能な保護継電器、その制御方法及び制御プログラムを提供する。【解決手段】差分算出手段４４は、現時点の最大値データ（ＤＭＡＸ）と最小値データ（ＤＭＩＮ）との差分データを算出する。事故検出／復帰判定手段４５Ａは、差分データが、事故に相当する予め整定した整定値データ（ＤＳＥＴ）より大きいものか（（ＤＭＡＸーＤＭＩＮ）＝ＤＳＥＴも含む）を判定する。大きいと判定した場合に、電力系統に事故が生じていることを検出し、事故状態から復帰するに際し復帰時間（回数）を計数する復帰カウンタ（ＴＯＦ）を初期化する。現状の最大値データ及び最小値データをリセットし、初期値を未設定の状態に設定する。【選択図】図１
2010154620.tif 000002
【特許請求の範囲】
【請求項１】
電力系統から入力されたアナログ電気量をサンプリングし、これをディジタル変換したサンプリングデータに基づいて演算処理回路により演算処理を行い系統事故を検出する保護継電器であって、
前記演算処理回路は、
前記サンプリングデータの入力波形の最大値及び最小値を検出する手段と、
検出された前記最大値と前記最小値との差を算出する手段と、
算出された前記差が系統事故に相当する所定の閾値以上であるかを判定する手段と、
前記差が前記所定の閾値以上であると判定された場合に系統事故の発生を検出する手段と、
を備えることを特徴とする保護継電器。
【請求項２】
検出された前記最大値と前記最小値を記憶する記憶手段を備え、
前記差は、前記記憶手段により記憶された最大値と最小値により算出されることを特徴とする請求項１に記載の保護継電器。
【請求項３】
前記差が前記所定の閾値以上であると判定された回数を計数する手段を備え、
前記系統事故の発生を検出する手段は、計数した前記回数が系統事故に相当する所定の回数以上であると判断する場合に、系統事故の発生を検出することを特徴とする請求項１又は２に記載の保護継電器。
【請求項４】
前記サンプリングデータに所定のゲイン補正用データを乗算することでゲイン誤差を補正する手段を備えることを特徴とする請求項１〜３のいずれか１項に記載の保護継電器。
【請求項５】
電力系統から入力されたアナログ電気量をサンプリングし、これをディジタル変換したサンプリングデータに基づいてコンピュータにより演算ステップを行い系統事故を検出する保護継電器の制御方法であって、
前記コンピュータは、
前記サンプリングデータの入力波形の最大値及び最小値を検出するステップと、
検出された前記最大値と前記最小値との差を算出するステップと、
算出された前記差が系統事故に相当する所定の閾値以上であるかを判定するステップと、
前記差が前記所定の閾値以上であると判定された場合に系統事故の発生を検出するステップと、
を実行することを特徴とする保護継電器の制御方法。
【請求項６】
前記コンピュータは、
前記差が前記所定の閾値以上であると判定された回数を計数し、計数した前記回数が系統事故に相当する所定の回数以上であると判断する場合に、系統事故の発生を検出するステップを実行することを特徴とする請求項５に記載の保護継電器の制御方法。
【請求項７】
前記コンピュータは、前記サンプリングデータに所定のゲイン補正用データを乗算することでゲイン誤差を補正するステップを実行することを特徴とする請求項５又は６に記載の保護継電器の制御方法。
【請求項８】
電力系統から入力されたアナログ電気量をサンプリングし、これをディジタル変換したサンプリングデータに基づいてコンピュータにより演算処理を行わせ系統事故を検出する保護継電器の制御プログラムであって、
前記プログラムは前記コンピュータに、
前記サンプリングデータの入力波形の最大値及び最小値を検出する処理と、
検出された前記最大値と前記最小値との差を算出する処理と、
算出された前記差が系統事故に相当する所定の閾値以上であるかを判定する処理と、
前記差が前記所定の閾値以上であると判定された場合に系統事故の発生を検出する処理と、
を実行させることを特徴とする保護継電器の制御プログラム。
【発明の詳細な説明】
【技術分野】
【０００１】
本発明は、電力系統からの電流、電圧の大きさに基づいて系統事故を検出する保護継電器に係り、特に、入力される電流、電圧の周波数に変動が生じる場合であっても所定の演算処理により系統事故を検出可能な技術に関する。
【背景技術】
【０００２】
保護継電器は、電流、電圧の変化に基づいて電力系統の故障を検出し、この故障区間を電力系統から切り離すことで事故を抑制し、故障の波及を防止する、いわゆる保護リレー装置である。
【０００３】
従来から、このような保護継電器に入力される電流及び電圧の周波数は、定格のものであり、当該保護継電器では、定格周波数に同期したサンプリングデータを元に所定の演算処理により振幅量を算出し、この振幅量の変化を検出することで系統事故の有無を検出する。
【特許文献１】特開昭６２−１６０１６号公報
【発明の開示】
【発明が解決しようとする課題】
【０００４】
ところで、上記のような従来の保護継電器では、入力される電流、電圧の周波数は定格であることから、この周波数に変動が生じるケースまで想定していない。そのため、当該周波数の変動が小さい場合では正常に駆動するが、保護継電器に入力される電流、電圧の周波数の変動が大きい場合には、電力系統の故障箇所を適切に検出することができないでいた。
【０００５】
また、周波数の変動が生じた場合であっても、極性の不揃いを検出することで電流の変化分を算出する方法（特許文献１参照）が提案されているが、あくまで極性を検出することで誤出力等の不要応動を防止するものであり、周波数の変動が大きくなった場合に、適切に電流の変化分を検出し、正常に電力系統の故障箇所を検出できるものではない。
【０００６】
本発明は、上記のような課題を解消するために提案されたものであって、その目的は、入力電流、電圧の周波数の変動範囲が大きい場合であっても、正常に系統事故の有無を検出することが可能な保護継電器、その制御方法及び制御プログラムを提供することにある。
【課題を解決するための手段】
【０００７】
上述した目的を達成するために、本発明は、電力系統から入力されたアナログ電気量をサンプリングし、これをディジタル変換したサンプリングデータに基づいて演算処理回路により演算処理を行い系統事故を検出する保護継電器であって、前記演算処理回路は、前記サンプリングデータの入力波形の最大値及び最小値を検出する手段と、検出された前記最大値と前記最小値との差を算出する手段と、算出された前記差が系統事故に相当する所定の閾値以上であるかを判定する手段と、前記差が前記所定の閾値以上であると判定された場合に系統事故の発生を検出する手段と、を備えることを特徴とする。
【０００８】
また、前記差が前記所定の閾値以上であると判定された回数を計数する手段を備え、前記系統事故の発生を検出する手段は、計数した前記回数が系統事故に相当する所定の回数以上であると判断する場合に、系統事故の発生を検出することを特徴とする点も本発明の一態様である。
【発明の効果】
【０００９】
以上のような本発明によれば、入力電流、電圧の周波数の変動が大きい場合であっても、電流の入力波形の最大値と最小値を対比し、その差を算出することにより、適切に系統事故を検出可能な保護継電器、その制御方法及び制御プログラムを提供することができる。また、最大値と最小値の差を算出することで系統事故を検出しているので、アナログ変換回路において生じる直流オフセット分の影響をキャンセルすることが可能となり、入力波形のピーク値を正確に検出することができる。
【００１０】
さらに、最大値と最小値との差が事故に相当する閾値よりも大きくなるケースを複数回連続確認する機能を備えることにより、一過性のノイズの影響による誤動作を防止することが可能となる。加えて、サンプリングデータの補正機能を設けたことにより、ゲイン誤差を補正することができるので、電力系統から入力される電流、電圧に基づく入力波形のピーク値をより正確に検出することが可能となる。
【発明を実施するための最良の形態】
【００１１】
［第１の実施形態］
［１．構成］
［１．１．全体構成］
まず、第１の実施形態に係る保護継電器の全体構成について図１を参照して以下に説明する。なお、図１は、本発明の第１の実施形態の保護継電器の全体構成を示すブロック図である。
【００１２】
図１に示す通り、１は、電力系統からの電流、電圧が入力される入力変成器であり、当該入力電流、電圧を絶縁すると共に、同相で混入した外部からのノイズ等を除去する。２は、入力変成器１の２次側から入力される交流信号を所定のアナログ信号に変換するアナログ変換回路であり、３は、アナログ変換回路２より出力されるアナログ信号を所定のディジタル信号に変換するＡ／Ｄ変換回路である。
【００１３】
４は、演算処理回路であり、具体的な処理は後述するが、Ａ／Ｄ変換回路３からのディジタル信号が入力されると所定の演算処理を実施する。５は、演算処理回路４の演算処理結果に基づいて外部に接点出力を出すリレー出力回路であり、６は、出力接点である。
【００１４】
７は、電源入力より保護継電器内部の電源電圧として安定化された電圧を各回路に供給する電源回路である。８は、保護継電器の動作レベル等を外部より設定可能とする設定スイッチであり、複数のスイッチ状態を読み込む場合は、スイッチ選択信号を受けて選択されたスイッチの状態信号が当該設定スイッチ８から出力される。
【００１５】
［１．２．演算処理回路の具体的な構成］
次に、内蔵するソフトウェアにより、Ａ／Ｄ変換回路３から入力されるディジタル信号をサンプリングデータとして、当該サンプリングデータから最大値、最小値を検出し、所定時間記憶し、この最大値、最小値に基づいて電力系統の事故の有無を判定する上記演算処理回路４の具体的な構成について、図２を参照して以下に詳述する。なお、図２は、第１の実施形態に係る演算処理回路の具体的な構成を示す機能ブロック図である。
【００１６】
図２に示す通り、４１は、Ａ／Ｄ変換回路３から入力される一定周期のディジタル信号の入力波形の最大値及び最小値の初期値が設定されていない場合に、このディジタル信号であるサンプリングデータを当該最大値及び最小値として設定する初期値設定手段である。
【００１７】
４２は、Ａ／Ｄ変換回路３から入力されるサンプリングデータを、初期値設定手段４１により設定された最大値であるデータ（以下、最大値データと称する）、あるいは更新された最大値データと対比し、当該サンプリングデータが最大値データより大きい場合に、このサンプリングデータを最大値データとして更新する最大値検出／記憶手段である。最大値検出／記憶手段４２の具体的な処理については［２．作用］で詳述する。
【００１８】
４３は、Ａ／Ｄ変換回路３から入力されるサンプリングデータを、初期値設定手段４１により設定された最小値のデータ（以下、最小値データと称する）、あるいは更新された最小値データと対比し、当該サンプリングデータが最小値データより小さい場合に、このサンプリングデータを最小値データとして更新する最小値検出／記憶手段である。最小値検出／記憶手段４３の具体的な処理については［２．作用］で詳述する。
【００１９】
４４は、最大値検出／記憶手段４２により更新された、あるいは初期値設定手段４１により設定された最大値データと、最小値検出／記憶手段４３により更新された、あるいは初期値設定手段４１により設定された最小値データと、の差分データを算出する差分算出手段である。
【００２０】
４５Ａは、差分算出手段４４により算出された差分データを、予め整定されている整定値データと対比し、その対比結果に基づいて系統事故の有無を検出する事故検出／復帰判定手段である。この事故検出／復帰判定手段４５Ａは、後述するが、電力系統の事故状態を検出するだけでなく、当該事故状態からの復帰判定も行う。
【００２１】
［２．作用］
［２．１．全体作用］
次に、上記のような構成を有する保護継電器の作用について以下に説明する。
なお、電源回路７により、電源入力より保護継電器内部の電源電圧として安定化された電圧が各回路に供給されているものとする。
【００２２】
まず、保護継電器に電力系統からの電流、電圧が入力されると、入力変成器１において、当該入力電流、電圧を絶縁すると共に、同相で混入した外部からのノイズ等を除去する。そして、アナログ変換回路２は、入力変成器１の２次側から入力される交流信号を所定のアナログ信号に変換し、当該アナログ変換回路２より出力されるアナログ信号をＡ／Ｄ変換回路３がディジタル信号に変換する。
【００２３】
Ａ／Ｄ変換回路３からのディジタル信号が演算処理回路４に入力されると、当該演算処理回路４は、後述する事故検出処理を実施し、この演算処理結果をリレー出力回路５に出力する。そして、リレー出力回路５は、演算処理回路４の演算処理結果に基づいて外部に出力接点６を出す。
【００２４】
［２．２．演算処理回路の動作手順］
次に、上記のような構成を有する保護継電器の演算処理回路４における、最大値、最小値の初期値設定、最大値、最小値の検出手順、事故検出手順について、図３〜６を参照して以下に説明する。
【００２５】
［２．２．１．初期値設定手順］
まず、演算処理回路４の初期値設定手段４１による最大値、最小値の初期値の設定手順について、図３を参照して、以下に説明する。
Ａ／Ｄ変換回路３からのディジタル信号がサンプリングデータとして、演算処理回路４に入力されると、図３に示す通り、初期値設定手段４１は、そのサンプリングデータ（ＤＯ）を読み込み（Ｓ３０１）、当該サンプリングデータの波形の最大値及び最小値の初期値が未設定であるかを判定する（Ｓ３０２）。
【００２６】
最大値及び最小値の初期値が未設定であると判定する場合には（Ｓ３０２のＹＥＳ）、Ｓ３０１で読み込んだサンプリングデータを最新の最大値データ（ＤＭＡＸ）として設定し（Ｓ３０３）、最大値データが記憶されていた最大値記憶カウンタ（ＴＭＡＸ）を初期化する（Ｓ３０４）。これにより、読み込んだサンプリングデータが最新の最大値データとして記憶される。
【００２７】
さらに、Ｓ３０１で読み込んだサンプリングデータを最新の最小値データ（ＤＭＩＮ）として設定し（Ｓ３０５）、最小値データが記憶されていた最小値記憶カウンタ（ＴＭＩＮ）を初期化する（Ｓ３０６）。これにより、読み込んだサンプリングデータが最新の最小値データとして記憶される。
【００２８】
一方、Ｓ３０２において、最大値及び最小値の初期値が設定されていると判定された場合には（Ｓ３０２のＮＯ）、上記Ｓ３０３〜３０６の処理は行われず、初期値の設定処理は終了する。なお、最大値データと最小値データの設定順序は任意であり、上記のような順序に限定するものではない。
【００２９】
［２．２．２．最大値検出及び記憶手順］
次に、演算処理回路４の最大値検出／記憶手段４２による最大値の検出及び記憶手順について、図４を参照して、以下に説明する。
まず、最大値検出／記憶手段４２は、図４に示す通り、Ａ／Ｄ変換回路３からサンプリングデータが入力されると、このサンプリングデータ（ＤＯ）が、初期値設定手段４１により設定された最大値データ（ＤＭＡＸ）より大きいか（ＤＯ＝ＤＭＡＸの場合も含む）を判定する（Ｓ４０１）。
【００３０】
当該サンプリングデータが最大値データよりも大きいと判定した場合には（Ｓ４０１のＹＥＳ）、このサンプリングデータを最新の最大値データとして更新し（Ｓ４０２）、これまでの最大値データをリセットするよう最大値記憶カウンタ（ＴＭＡＸ）を初期化する（Ｓ４０３）。
【００３１】
一方、サンプリングデータが最大値データよりも小さいと判定した場合には（Ｓ４０１のＮＯ）、最大値データは現状のままであるため、最大値データの記憶時間（回数）を更新するよう最大値記憶カウンタを更新する（Ｓ４０４）。
【００３２】
そして、最大値検出／記憶手段４２は、最大値記憶カウンタが更新されると、この更新した最大値記憶カウンタ、すなわち最大値記憶時間が所定の規定時間（Ｔ１）内であるかを判定する（Ｓ４０５）。なお、この規定時間とは、最大値データの保持時間であり、製品仕様として規定する入力周波数の変動範囲の最下限値の周波数における１サイクル分以上の時間とする。
【００３３】
最大値記憶時間が所定の規定時間内であると判定した場合には（Ｓ４０５のＹＥＳ）、最大値データは現状のままであり、最大値の検出及び記憶処理は終了する。
【００３４】
一方、最大値記憶時間が所定の規定時間内にない、すなわち、当該最大値記憶時間が所定の規定時間を超えると判定した場合には（Ｓ４０５のＮＯ）、現状の最大値データの保持時間は経過しているので、入力されたサンプリングデータを最大値データとして設定し（Ｓ４０２）、これまでの最大値データをリセットするよう最大値記憶カウンタを初期化する（Ｓ４０３）。
【００３５】
［２．２．３．最小値検出及び記憶手順］
次に、演算処理回路４の最小値検出／記憶手段４３による最小値の検出及び記憶手順について、図５を参照して、以下に説明する。
まず、最小値検出／記憶手段４３は、図５に示す通り、Ａ／Ｄ変換回路３からサンプリングデータが入力されると、このサンプリングデータ（ＤＯ）が、初期値設定手段４１により設定された最小値データ（ＤＭＩＮ）より小さいか（ＤＯ＝ＤＭＩＮも含む）を判定する（Ｓ５０１）。
【００３６】
当該サンプリングデータが最小値データよりも小さいと判定した場合には（Ｓ５０１のＹＥＳ）、このサンプリングデータを最新の最小値データとして更新し（Ｓ５０２）、これまでの最小値データをリセットするよう最小値記憶カウンタ（ＴＭＩＮ）を初期化する（Ｓ５０３）。
【００３７】
一方、サンプリングデータが最小値データよりも大きいと判定した場合には（Ｓ５０１のＮＯ）、最小値データは現状のままであるため、最小値データの記憶時間（回数）を更新するよう最小値記憶カウンタを更新する（Ｓ５０４）。
【００３８】
そして、最小値検出／記憶手段４３は、最小値記憶カウンタが更新されると、この更新した最小値記憶カウンタ、すなわち最小値記憶時間が所定の規定時間（Ｔ１）内であるかを判定する（Ｓ５０５）。なお、この規定時間とは、最小値データの保持時間であり、製品仕様として規定する入力周波数の変動範囲の最下限値の周波数における１サイクル分以上の時間とする。
【００３９】
最小値記憶時間が所定の規定時間内であると判定した場合には（Ｓ５０５のＹＥＳ）、最小値データは現状のままであり、最小値の検出及び記憶処理は終了する。
【００４０】
一方、最小値記憶時間が所定の規定時間内にない、すなわち、当該最小値記憶時間が所定の規定時間を超えると判定した場合には（Ｓ５０５のＮＯ）、現状の最小値データの保持時間は経過しているので、入力されたサンプリングデータを最小値データとして設定し（Ｓ５０２）、これまでの最小値データをリセットするよう最小値記憶カウンタを初期化する（Ｓ５０３）。
【００４１】
［２．２．４．事故検出、復帰判定手順］
次に、演算処理回路４の差分算出手段４４及び事故検出／復帰判定手段４５Ａによる事故検出、復帰判定手順について、図６を参照して、以下に説明する。
まず、図６に示す通り、差分算出手段４４は、現時点の最大値データ（ＤＭＡＸ）と最小値データ（ＤＭＩＮ）との差分データを算出する（Ｓ６０１）。
【００４２】
そして、事故検出／復帰判定手段４５Ａは、差分算出手段４４により算出された差分データが、事故に相当する予め整定した整定値データ（ＤＳＥＴ）より大きいものか（（ＤＭＡＸーＤＭＩＮ）＝ＤＳＥＴも含む）を判定する（Ｓ６０２）。
【００４３】
差分データが整定値データよりも大きいと判定した場合には（Ｓ６０２のＹＥＳ）、これにより、電力系統に事故が生じていることを検出し（Ｓ６０３）、事故状態から復帰するに際し復帰時間（回数）を計数する復帰カウンタ（ＴＯＦ）を初期化する（Ｓ６０４）。事故の発生を検出し、復帰カウンタが初期化されると、現状の最大値データ及び最小値データをリセットし、初期値を未設定の状態に設定する（Ｓ６０４、Ｓ６０５）。
【００４４】
これに対し、差分データが整定値データよりも小さいと判定した場合には（Ｓ６０２のＮＯ）、現時点が事故の検出状態にあるかを判定し（Ｓ６０７）、事故を検出中と判定した場合に（Ｓ６０７のＹＥＳ）、事故状態からの復帰時間（回数）を計数する復帰カウンタを更新する（Ｓ６０８）。言い換えれば、事故が検出された状況下において、差分データが整定値よりも小さい場合に、事故状態からの復帰時間を更新する。
【００４５】
復帰カウンタが更新されると、更新した復帰カウンタ、すなわち、復帰時間が所定の規定時間（ＴＤＯＦ）以上であるかを判定する（Ｓ６０９）。なお、この規定時間（ＴＤＯＦ）とは、事故状態から復帰に要するまでの時間であり、製品仕様として規定する入力周波数変動範囲の最下限値の周波数における１サイクル分以上の時間とする。
【００４６】
復帰カウンタが規定時間以上である場合には（Ｓ６０９のＹＥＳ）、検出していた事故状態の認定を解除し（Ｓ６１０）、復帰カウンタを初期化する（Ｓ６１１）。一方、事故状態が検出されない場合（Ｓ６０７のＮＯ）、又は復帰カウンタが規定時間に満たない場合には（Ｓ６０９のＮＯ）、本処理は終了する。
【００４７】
以上のような第１の実施形態によれば、保護継電器に入力される電流、電圧の周波数の変動範囲が大きい場合であっても、演算処理回路において入力波形の最大値データと最小値データの差分データを算出することにより、適切かつ正常に系統事故を検出することが可能な保護継電器を提供することができる。また、最大値データと最小値データの差分データを算出することで系統事故を検出しているので、アナログ変換回路において生じる直流オフセット分の影響をキャンセルすることが可能となり、入力信号のピーク値を正確に検出することができる。
【００４８】
［第２の実施形態］
［１．演算処理回路の構成］
次に、第２の実施形態に係る保護継電器の演算処理回路４の構成について、図７を参照して、以下に詳述する。なお、保護継電器の全体構成は、第１の実施形態と同様であるため、説明は省略し符号を付すものとする。また、演算処理回路４において、第１の実施形態と共通する構成についても説明を省略し同じ符号を付すものとする。図７は、本発明の第２の実施形態に係る演算処理回路４の構成を示す機能ブロック図である。
【００４９】
第２の実施形態では、図７に示す通り、事故検出／復帰判定手段４５Ａの代わりに、最大値データと最小値データとの差分データが事故に相当する整定値データよりも大きくなるケースを複数回連続確認する機能を備えた事故検出／復帰判定手段４５Ｂが設けられ、その他の構成は図２と同じである。
【００５０】
［２．作用］
次に、上記のような構成を有する保護継電器の演算処理回路４における事故検出手順について、図８を参照して以下に説明する。
【００５１】
まず、図８に示す通り、第１の実施形態と同様に、差分算出手段４４は、現時点の最大値データ（ＤＭＡＸ）と最小値データ（ＤＭＩＮ）との差分データを算出する（Ｓ８０１）。そして、事故検出／復帰判定手段４５Ｂは、差分算出手段４４により算出された差分データが、事故に相当する予め整定した整定値データ（ＤＳＥＴ）より大きいものか（（ＤＭＡＸーＤＭＩＮ）＝ＤＳＥＴも含む）を判定する（Ｓ８０２）。
【００５２】
差分データが整定値データよりも大きいと判定した場合には（Ｓ８０２のＹＥＳ）、第２の実施形態では、事故を検出するにあたり、この状況を複数回確認するための動作回数を示す動作カウンタ（ＴＯＮ）を更新する（Ｓ８０３）。動作カウンタが更新されると、更新した動作カウンタ、すなわち動作回数が、事故に相当する予め設定された設定回数（ＴＤＯＮ）以上となるかを判定する（Ｓ８０４）。
【００５３】
動作回数が設定回数以上になると判定された場合には（Ｓ８０４のＹＥＳ）、事故が未検出状態にあるかが判断され（Ｓ８０５）、未検出状態にある場合に（Ｓ８０５のＹＥＳ）、新たに電力系統に事故が生じていることを検出する（Ｓ８０６）。事故が検出されると、動作回数を計数する動作カウンタと、事故状態から復帰するに際し復帰時間（回数）を計数する復帰カウンタ（ＴＯＦ）を初期化し（Ｓ８０７、Ｓ８０８））、現状の最大値データ及び最小値データをリセットし、初期値を未設定の状態に設定する（Ｓ８０９、Ｓ８１０）。
【００５４】
なお、Ｓ８０４において、更新した動作カウンタが設定回数に満たないと判定された場合には（Ｓ８０４のＮＯ）、動作カウンタを初期化せずに復帰カウンタを初期化し（Ｓ８０８）、現状の最大値データ及び最小値データをリセットし、初期値を未設定状態として（Ｓ８０９、Ｓ８１０）、動作カウンタが設定回数を超えるまで動作カウント中とされる。また、Ｓ８０５において、事故が検出された場合（Ｓ８０５のＮＯ）、改めて事故を検出せずに、動作カウンタを初期化する（Ｓ８０７）。
【００５５】
一方、Ｓ８０２において、差分データが整定値データよりも小さいと判定した場合には（Ｓ８０２のＮＯ）、現時点が事故の検出状態にあるかを判定し（Ｓ８１１）、事故を検出中と判定した場合に（Ｓ８１１のＹＥＳ）、事故状態からの復帰時間（回数）を計数する復帰カウンタを更新する（Ｓ８１２）。なお、Ｓ８１１では、事故の検出状態を判定する代わりに、動作カウント中であるかを判定することも可能である。すなわち、動作カウント中にあると判定された場合に（Ｓ８１１のＹＥＳ）、復帰カウンタを更新する。
【００５６】
復帰カウンタが更新されると、更新した復帰カウンタ、すなわち、復帰時間が所定の規定時間（ＴＤＯＦ）以上であるかを判定する（Ｓ８１３）。なお、この規定時間（ＴＤＯＦ）とは、事故状態から復帰に要するまでの時間であり、製品仕様として規定する入力周波数変動範囲の最下限値の周波数における１サイクル分以上の時間とする。
【００５７】
復帰カウンタが規定時間以上である場合には（Ｓ８１３のＹＥＳ）、検出していた事故状態の認定を解除し（Ｓ８１４）、動作カウンタ及び復帰カウンタを初期化する（Ｓ８１５、Ｓ８１６）。一方、事故状態やが検出されない場合（Ｓ８１１のＮＯ）、又は復帰カウンタが規定時間に満たない場合には（Ｓ８１３のＮＯ）、本処理は終了する。もちろん、Ｓ８１１において、動作カウント中にないと判定された場合も本処理は終了する。
【００５８】
以上のような第２の実施形態によれば、最大値データと最小値データとの差分データが、事故に相当する整定値データよりも大きくなるケースを複数回連続確認することができるので、一過性のノイズの影響による誤動作を防止することが可能となる。
【００５９】
［第３の実施形態］
［１．演算処理回路の構成］
次に、第３の実施形態に係る保護継電器の演算処理回路４の構成について、図９を参照して、以下に詳述する。なお、保護継電器の全体構成は、第１の実施形態と同様であるため、説明は省略し符号を付すものとする。また、演算処理回路４において、第１の実施形態と共通する構成についても説明を省略し同じ符号を付すものとする。図９は、本発明の第３の実施形態に係る演算処理回路４の構成を示す機能ブロック図である。
【００６０】
図９に示す通り、第３の実施形態に係る演算処理回路４では、入力変成器１及びアナログ変換回路２により発生するゲイン誤差を補正するデータ補正手段４６が設けられ、その他の構成は図２と同じである。
【００６１】
［２．作用］
次に、上記のような構成を有する演算処理回路４のデータ補正手段４６によるゲイン誤差の補正手順を、図１０を参照して以下に説明する。
【００６２】
図１０に示すように、まず、データ補正手段４６は、Ａ／Ｄ変換回路３から入力されたディジタル信号であるサンプリングデータを読み込む（Ｓ１００１）。そして、読み込んだサンプリングデータに対して、予め設定されたゲイン補正用データを乗算することで、当該サンプリングデータを補正する（Ｓ１００２）。
【００６３】
以降は、この補正後のサンプリングデータを使用して、最大値、最小値の初期値設定、最大値、最小値の検出処理、事故検出処理が行われる。なお、このゲイン補正用データとは、予め決められた入力信号が入力された状態において、所定の演算処理により算出された振幅値の理論値に対する比である。
【００６４】
［３．他の実施形態］
なお、第３の実施形態では、図９に示した通り、第１の実施形態に係る演算処理回路４の構成にデータ補正手段４６を設けているが、これに限定するものではなく、図１１に示すように、第２の実施形態に係る演算処理回路４の構成にデータ補正手段４６を設ける実施形態も包含する。
【００６５】
以上のような実施形態によれば、演算処理回路内にデータ補正手段を設けたことにより、入力変成器及びアナログ変換回路で発生するゲイン誤差を補正することができるので、電力系統から入力される電流、電圧に基づく入力波形のピーク値をより正確に検出することが可能となる。
【図面の簡単な説明】
【００６６】
【図１】本発明の全体構成例を示すブロック図
【図２】本発明の第１の実施形態に係る演算処理回路の具体的な構成を示す機能ブロック図
【図３】本発明の第１の実施形態に係る最大値及び最小値の初期値設定手順を示すフローチャート
【図４】本発明の第１の実施形態に係る最大値の検出、記憶順を示すフローチャート
【図５】本発明の第１の実施形態に係る最小値の検出、記憶順を示すフローチャート
【図６】本発明の第１の実施形態に係る事故検出手順を示すフローチャート
【図７】本発明の第２の実施形態に係る演算処理回路の具体的な構成を示す機能ブロック図
【図８】本発明の第２の実施形態に係る事故検出手順を示すフローチャート
【図９】本発明の第３の実施形態に係る演算処理回路の具体的な構成を示す機能ブロック図（Ａ）
【図１０】本発明の第３の実施形態に係るゲイン誤差の補正手順を示すフローチャート
【図１１】本発明の第３の実施形態に係る演算処理回路の具体的な構成を示す機能ブロック図（Ｂ）
【符号の説明】
【００６７】
１…入力変成器
２…アナログ変換回路
３…Ａ／Ｄ変換回路
４…演算処理回路
５…リレー出力回路
６…出力接点
７…電源回路
８…設定スイッチ
４１…初期値設定手段
４２…最大値検出／記憶手段
４３…最小値検出／記憶手段
４４…差分算出手段
４５Ａ、Ｂ…事故検出／復帰判定手段
４６…データ補正手段
【図１】
2010154620.tif 000003
【図２】
2010154620.tif 000004
【図３】
2010154620.tif 000005
【図４】
2010154620.tif 000006
【図５】
2010154620.tif 000007
【図６】
2010154620.tif 000008
【図７】
2010154620.tif 000009
【図８】
2010154620.tif 000010
【図９】
2010154620.tif 000011
【図１０】
2010154620.tif 000012
【図１１】
2010154620.tif 000013